(57)【特許請求の範囲】
【請求項１】
可撓管によって形成されている床下配管であって、
当該床下配管は、可撓管及び可撓管を支持する支持具を備え、
前記支持具は、建築物の基礎における上面部に固定されると共に、その一部が水平方向に突出して平板状の支持部が形成され、該支持部に可撓管を貫通させて支持するための支持穴が設けられており、
前記可撓管は、当該支持具の突出した支持部の支持穴に可撓管の端部近くが貫通して支持され、
前記支持穴に挿入されて支持部の上方に位置する可撓管の先端には、保護キャップが取り付けられていることを特徴とする床下配管。
【請求項２】
支持具は、基礎の上面部に固定される平板状の固定部と、可撓管を支持する支持部及び前記固定部と前記支持部とを繋ぐ連結部とを有し、
前記固定部の一端から垂直下方に向かって連結部が設けられていると共に、
前記連結部の下端から固定部と反対側の水平方向に向かって突出する支持部が設けられ、
支持部が基礎から水平方向に突出していることを特徴とする請求項１に記載した床下配管。
【請求項３】
保護キャップは、円形の天面部、及び円筒形の円筒部を有し、
前記円筒部の外径が支持穴の直径より大径とされていると共に、
前記円筒部の内径が可撓管の外径と略同径とされていることを特徴とする請求項１又は請求項２に記載した床下配管。
【請求項４】
保護キャップの円筒部の高さが、支持具の支持部から固定部までの高さよりも低いことを特徴とする請求項３に記載した床下配管。
【請求項５】
可撓管、前記可撓管の端部近くを支持する支持穴が設けられている支持具、及び、床下配管の端部を引き出す配管穴が設けられている床パネルを備えた床下配管であって、
前記支持具は、基礎の上面部における所定の位置に固定され、固定部に連結部で連結されて固定部よりも低い位置に支持穴を備えた支持部を有し、
前記支持穴に挿入されて支持部の上方に位置する可撓管の先端に、保護キャップが取り付けられ、
前記床パネルは、支持穴の垂直上方に配管穴を一致させて設置されていると共に、
前記可撓管は、支持穴及び配管穴を貫通していることを特徴とする床下配管。
【請求項６】
可撓管を用いて床下配管を形成するに際し、建物の基礎における上面の所定の位置に支持具を固定した後、
当該支持具に可撓管の先端を支持させて可撓管の端部を所定位置に固定し、
当該可撓管の先端に保護キャップを取り付けておき、
その後、予め所定位置に配管穴が設けられている床パネルを設置し、
床パネルの上方から、前記可撓管を前記配管穴に貫通させるように可撓管の先端を引き上げることを特徴とする床下配管の敷設方法。
【発明の詳細な説明】
【０００１】
【発明の属する技術分野】
本発明は、床下配管に関する。更に詳しくは、可撓管によって形成されている給水管の床下配管に関するものである。
【０００２】
【従来の技術】
従来、建物の給水管や排水管は、所定の長さに切断された剛性を有する管状パイプである金属製又は塩化ビニール製の剛管を、「Ｔ」字形や「Ｌ」字形等の適宜形状の継手部材を用いて組み合わせたものであって、建屋など建築物の基礎の施工前に敷地内の所定の位置に配置され、地中や床下スラブに埋設されるか、又は基礎や床下スラブが構築された後、外周基礎の内側では地中や床下スラブに埋設されるほか、床下スラブ上に略水平に固定されて上水道管や下水道管から屋内の所定位置の床下まで配設されることもあった。
【０００３】
そして、建築物の給排水設備に用いられる給水管や排水管のうち、建築物の床下に位置する部分を床下配管と称するものである。
この床下配管の従来の敷設方法は、建築物の基礎の施工前に、施工図面に従って、所定の長さに切断された剛管を組み合わせていくと共に、その一端を上水道管や下水道管と接続し、また、他端をキッチンや浴室等が設けられる所定の場所の近辺に位置させる。その後、前記組み合わせた剛管を床下スラブに埋設するか、又は床下スラブ上に略水平に固定していくものであるが、キッチンや浴室等が設けられる場所の近辺に位置させておいた端部については、床下スラブから垂直上方に突出させていた。
【０００４】
また、最近では、給水管の床下配管を形成するに際し、剛管に代えて、配管ユニットと呼ばれる、所定の長さの可撓管を用いる場合がある。なお、前記可撓管とは、可撓性を有する管状パイプであって、弾性プラスチック又は合成ゴム等を管状に形成したものや、環状又は螺旋状の鋼線を弾性プラスチック又は合成ゴム等で覆って、管軸方向に波形又は螺旋形の凹凸を有する管状に形成したものが用いられている。
【０００５】
そして、可撓管を用いた場合における給水管の床下配管の敷設方法は、建築物の基礎が完成した後に、所定の長さの可撓管を床下スラブ上に略水平に配置していくと共に、その一端を上水道管又は敷地内に埋設された剛管による引込み管と接続し、また、他端をキッチンや浴室等が設けられる場所の近辺に位置させる。その後、当該可撓管の適宜箇所を金具等によって床下スラブ上に固定していくものであるが、キッチンや浴室等が設けられる場所の近辺に位置させておいた端部については、床下スラブ上に放置しておくか、又は、図４に示すように、基礎40の近くに端部を突出させて埋設されている排水管を利用し、排水管と給水管とを固定する固定具80を用いて、剛管によって形成されている排水管の床下配管の端部に可撓管10の端部近くを固定し、可撓管10を略垂直上方に立ち上げていた。
【０００６】
【発明が解決しようとする課題】
しかし、可撓管を用いて給水管の床下配管を形成した場合において、キッチンや浴室等が設けられる場所の端部を床下スラブ上に放置しておくと、当該端部の近辺がカールしたりすることによって、他の作業の障害となることがあった。
また、剛管によって形成されている排水管の床下配管は、建築物の基礎の施工前に形成されることが多く、従って、キッチンや浴室等が設けられる場所の端部が、基礎に対してずれて敷設されることが多い。
【０００７】
そして、上記した基礎に対してずれて敷設されていることの多い剛管製である排水管の床下配管における端部に、可撓管によって形成されている給水管の床下配管の端部を固定すると、この可撓管製の給水管の床下配管の端部も基礎に対してずれてしまうこととなり、更には、給水管の室内配管等を設計した位置からずらさなければならなくなる等、その後の作業が困難になってしまうことがあった。
【０００８】
このため、敷設作業が容易であって、かつ、基礎に対して正確な位置に敷設することができる可撓管によって形成されている給水管の床下配管、及びその敷設方法が望まれていた。
【０００９】
【課題を解決するための手段】
そこで、請求項１に記載した床下配管は、可撓管（10）によって形成されている床下配管であって、可撓管（10）及び可撓管（10）を支持する支持具（20）を備え、前記支持具（20）は、建築物の基礎（40）における上面部（41）に固定されると共に、その一部が水平方向に突出して平板状の支持部(22)が形成され、該支持部(22)に可撓管(10)を貫通させて支持するための支持穴(24)が設けられており、前記可撓管(10)は、当該支持具(20)の突出した支持部(22)の支持穴(24)に可撓管(10)の端部近くが貫通して支持され、前記支持穴(24)に挿入されて支持部(22)の上方に位置する可撓管(10)の先端には、保護キャップ(30)が取り付けられていることを特徴とする。
【００１０】
このように、支持具（20）を基礎（40）の上面部（41）に固定することによって、支持具（20）の基礎（40）への固定を容易にしていると共に、支持具（20）を基礎（40）の上面部（41）の所定位置に固定することによって、可撓管（10）の端部を基礎（40）に対して所定の位置に支持させ、そして、可撓管（10）を支持させた後の作業を容易に行うことができる。
さらに、可撓管（10）の先端に保護キャップ（30）を取り付けたことによって、可撓管（10）の先端が損傷することや、可撓管（10）の先端から当該可撓管（10）の内部に土やゴミ等が侵入することを防止できる。
【００１１】
また、請求項２に記載した床下配管は、可撓管（10）を支持する支持具（20）は、基礎（40）の上面部（41）に固定される平板状の固定部（21）と、可撓管（10）を支持する支持部（22）及び固定部（21）と支持部（22）とを繋ぐ連結部（23）とを有し、前記固定部（21）の一端から垂直下方に向かって連結部（23）が設けられていると共に、前記連結部（23）の下端から固定部（21）と反対側の水平方向に向かって突出する支持部（22）が設けられ、支持部（22）が基礎から水平方向に突出していることを特徴とする。
【００１２】
このように、可撓管（10）を支持させる支持部（22）を、基礎（40）に固定する固定部（21）より下方に設けたことによって、支持具（20）に支持させた可撓管（10）の先端が、他の作業の障害とならないようにすると共に、床パネル（70）等によって損傷しないようにすることができる。
【００１３】
また、請求項３に記載した床下配管は、可撓管（10）の先端に取り付ける保護キャップ（30）が、円形の天面部（31）、及び円筒形の円筒部（32）を有し、前記円筒部（32）の外径が支持穴（24）の直径より大径とされていると共に、前記円筒部（32）の内径が可撓管（10）の外径と略同径とされていることを特徴とする。
【００１４】
このように、保護キャップ（30）の円筒部（32）の外径を支持穴（24）の直径より大径に形成し、また、円筒部（32）の内径を可撓管（10）の外径と略同径に形成したことによって、保護キャップ（30）を、可撓管（10）の先端に容易に取り付けることができるようにしていると共に、保護キャップ（30）を可撓管（10）の先端に取り付けるという容易な手段によって、可撓管（10）の先端を、支持具（20）が有する支持部（22）に支持させることができる。
【００１５】
また、請求項４に記載した床下配管は、保護キャップ（30）の円筒部（32）の高さが、支持具（20）の支持部（22）から固定部（21）までの高さよりも低いことを特徴とする。
このように、保護キャップ（30）の高さを支持具（20）の支持部（22）から固定部（21）までの高さよりも低くすることにより、支持部（22）の支持穴（24）を貫通させた可撓管（10）の先端に保護キャップ（30）を取り付けて支持具（20）の支持部（22）により可撓管（10）の先端を支持したとき、可撓管（10）の先端である可撓管（10）の上端を基礎（40）の上面部（41）よりも低くし、他の作業を行う場合の障害とならないようにすることができる。
【００１６】
また、請求項５に記載した床下配管は、可撓管（10）、この可撓管（10）の端部近くを支持する支持穴（24）が設けられている支持具（20）、及び、床下配管の端部を床パネル（70）の上に引き出すための配管穴（71）が設けられている床パネル（70）を備え、前記支持具（20）は、基礎（40）における上面部（41）の所定の位置に固定され、且つ、固定部（21）に連結部（23）で連結されて固定部（21）よりも低い位置に支持穴（24）を備えた支持部（22）を有し、前記支持穴(24)に挿入されて支持部(22)の上方に位置する可撓管(10)の先端に、保護キャップ(30)が取り付けられ、また、前記床パネル（70）は、支持穴（24）の垂直上方に配管穴（71）を一致させて設置されていると共に、前記可撓管（10）は、支持穴（24）及び配管穴（71）を貫通していることを特徴とする。
【００１７】
このように、床パネル（70）に設けた配管穴（71）と、支持具（20）に設けた支持穴（24）とを垂直方向において一致させたことによって、可撓管（10）を配管穴（71）に容易に貫通させることができるようにしている。
また、請求項６に記載した床下配管の敷設方法は、基礎（40）における上面部（41）の所定の位置に支持具（20）を固定した後、当該支持具（20）に可撓管（10）の先端を支持させて可撓管（10）の端部近くを所定位置に固定しておき、当該可撓管(10)の先端に保護キャップ(30)を取り付けておき、その後、予め所定位置に配管穴（71）が設けられている床パネル（70）を設置して、床パネル（70）の上方から、可撓管（10）を前記配管穴（71）に貫通させるように可撓管（10）の先端を引き上げることを特徴とする。
【００１８】
このように、床パネル（70）に予め配管穴（71）を設けておくことによって、施工現場での作業を軽減し、更に、床パネル（70）の上方から可撓管（10）の先端を引き上げることによって、床パネル（70）の下方での作業を不要としている。
【００１９】
【発明の実施の形態】
本発明に係る床下配管、及びその敷設方法の実施の形態を、図１乃至図３に基づいて説明する。
図１は、本発明に係る床下配管の要部を示す側面断面図、図２は、本発明に係る床下配管の要部を示す斜視図、図３は、本発明に係る床下配管の敷設方法を示す側面断面図である。
【００２０】
本発明に係る床下配管は、可撓管10によって形成されている床下配管としての給水管であって、所定の長さの可撓管10、及び、この可撓管10の端部を支持するための支持具20を備えている。そして、前記支持具20は、基礎40の上面部41に固定されていると共に、前記可撓管10は、その端部を当該支持具20に支持されているものである。
【００２１】
前記可撓管10は、可撓性を有する管状パイプであって、弾性プラスチック等を管状に形成したものや、環状又は螺旋状の鋼線を弾性プラスチック等で覆って凹凸を有する管状に形成したものであることは従来と同様である。
また、前記支持具20は、可撓管10の端部を支持するためのものであって、図１及び図２に示すように、基礎40の上面部41に固定される平板状の固定部21、可撓管10を支持する支持部22、及び固定部21と支持部22とを繋ぐ連結部23を有している。そして、当該支持具20は、平板矩形の固定部21の一端から垂直下方に向かって平板矩形の連結部23が設けられ、更に、当該連結部23の下端から前記固定部21と反対側の水平方向に向かって平板矩形の支持部22が設けられて、クランク形に形成されているものである。
【００２２】
そして、前記固定部21には、支持具20を基礎40の上面部41に固定するための釘等が打ち込まれる釘穴25が設けられ、また、前記支持部22には、前記可撓管10の外径と略同径であって、かつ、可撓管10を通過させることが可能な大きさに開口する可撓管10を支持するための支持穴24が設けられている。なお、前記支持穴24は、連結部23の下端から所定の位置、即ち、当該支持具20を固定する基礎40から所定量だけ突出した所定の位置に設けられるものであり、この支持部22を基礎40から床下側へ水平に突出させるようにして固定部21により基礎40に固定するものである。
【００２３】
以下、更に、本発明に係る床下配管の敷設方法について詳述する。
建築物の基礎40が完成した後に、建築図面に基づいた所定の長さの可撓管10を床下スラブ上に配置していくと共に、その一端を上水道管や引込み管と接続し、また、他端をキッチンや浴室等が設けられる場所の近辺に位置させ、更にその後、当該可撓管10の適宜箇所を金具等によって床下スラブ上に固定するところまでは、従来の可撓管10によって形成されている給水管の床下配管の敷設方法と同様である。
【００２４】
そして、本発明に係る床下配管の敷設方法は、キッチンや浴室等が設けられる場所の近辺に位置させておいた可撓管10の端部を、基礎40の上面部41に固定した支持具20によって支持させて、床下スラブから略垂直上方に立ち上げるものである。
この支持具20を基礎40の上面部41に固定するに際しては、建築図面に基づき、建物の外周壁を支持する外周基礎40（50）に固定する場合は、外周基礎40（50）の角を基準とし、又は仕切壁を支持する間仕切り用基礎40（60）などを基準とし、基礎40（50）の上面部41における所定の位置に支持具20を固定し、基礎40に対して図面に合わせた正しい所定に位置に支持穴24を位置させるように床下側に支持部22を向けて突出させるようにして支持具20を固定する。
【００２５】
以下、上記した「キッチンや浴室等が設けられる場所の近辺に位置させておいた端部」を、「可撓管10の先端」として説明する。
前記支持具20は、可撓管10の先端を支持させる前に、基礎40における上面部41の所定の位置に固定しておくものであり、また、当該支持具20の固定は、支持具20の固定部21を、釘等を用いて基礎40の上面部41に固着させることによって行うものである。
【００２６】
なお、当該支持具20を固定する所定の位置は、例えば、図２に示すように、当該支持具20を建物駆体の外周壁を支持する外周基礎40（50）に固定しようとする場合には、部屋と部屋とを仕切る壁である仕切壁を支持する間仕切り用基礎40（60）などを基準として定める。
又、洗面所などの配置により床下配管の端部を間仕切り用基礎40（60）の近くに配置する場合は、間仕切り用基礎40（60）の角又は外周基礎40（50）との接続部などを基準とした所定位置で室内配管と接続する方向の床下側に支持部22を突出させて間仕切り用基礎40（60）の上面に固定する。
【００２７】
そして、前記支持具20による可撓管10の先端の支持は、図２に示すように、可撓管10の先端を、支持部22に開口する支持穴24に、下方から上方へ向かって挿入した後、当該可撓管10の先端に、可撓管10の先端を覆う保護キャップ30を脱着可能に取り付けることによって行うものである。
なお、前記保護キャップ30としては、例えば、図１又は図２に示すように、円形の天面部31、及び円筒形の円筒部32を有し、そして、円筒部32の外径が支持穴24の直径より大径に形成され、かつ、円筒部32の内径が可撓管10の外径と略同径に形成されている合成ゴム製の保護キャップ30が用いられる。
【００２８】
また、可撓管10の先端に保護キャップ30を取り付けて支持具20に保持させた際には、図１に示したように、当該保護キャップ30が取り付けられた可撓管10の先端及び保護キャップ30の上面が、支持具20が有する固定部21の下方に位置させることが好ましい。
次に、本発明に係る床下配管と室内配管との接続方法について詳述する。
【００２９】
ここで、可撓管10の先端を支持具20に支持させた後の作業を簡単に説明すると、以下のようになる。
即ち、可撓管10の先端を支持具20に支持させた後、基礎40の上に床パネル70を設置し、更にその後、壁パネル等を設置していくことによって、キッチンや浴室等の部屋を形成する。
また、給水管の室内配管は、床パネル70や壁パネルが設置された後に、壁パネル等に沿って敷設していく。そして、その後に、床下配管と室内配管とを接続するものである。
【００３０】
なお、室内配管とは、建築物の給排水設備に用いられる給水管や排水管のうち、建築物の床上に位置する部分をいう。
前記床パネル70には、保護キャップ30が取り付けられて支持具20に支持されている可撓管10の先端を通過させることが可能な大きさに開口する配管穴71を、当該床パネル70を基礎40の上に設置した際に可撓管10の先端と一致する位置に予め設けておく。
【００３１】
なお、上述したように、前記支持具20が、建築物の基礎40を基準とする所定の位置に固定されていることにより、前記配管穴71を設ける位置も、基礎40を基準とする所定の位置に設けることによって、当該配管穴71の位置と可撓管10の先端の位置とを一致させることは容易である。そして、この床下配管と室内配管との接続は、作業を行う者が、床パネル70の上方において、可撓管10の先端を、当該床パネル70に設けた配管穴71から床パネル70の上方に引き上げた後に行うものである。
【００３２】
以上説明したように、本実施の形態に係る床下配管は、可撓管10によって形成されている給水管の床下配管であって、所定の長さの可撓管10、及び可撓管10の端部を支持する支持具20を備えていると共に、当該可撓管10の先端が、基礎40における上面部41の所定の位置に固定されている支持具20に支持されているものである。
【００３３】
そして、支持具20を基礎40の上面部41に固定することは、基礎40の側面部42等に固定する場合や床下スラブなどに支柱を立てて固定するよりも容易である。
また、前記支持具20が、仕切壁を支持する間仕切り用基礎40（60）などを基準とする所定の位置に固定されていることにより、基礎40から水平方向に突出する支持具20の支持部22により支持された前記可撓管10の先端も、基礎40に対して所定の位置に支持させることができる。そして、その後の作業、即ち、床下配管と室内配管との接続作業を容易に行うことができる。
【００３４】
従って、敷設作業が容易な床下配管とすることができるのである。
また、この床下配管は、可撓管10の先端を支持する支持具20が、基礎40の上面部41に固定される固定部21、可撓管10を支持する支持部22、及び固定部21と支持部22とを繋ぐ連結部23を有していると共に、前記固定部21の一端から垂直下方に向かって連結部23が設けられ、更に、当該連結部23の下端から前記固定部21と反対側の水平方向に向かって支持部22が設けられているものである。
【００３５】
そして、可撓管10を支持する支持部22が、基礎40の上面部41に固定される固定部21より下方に設けられていることによって、床パネル70を設置する際に、可撓管10の先端が損傷することがないようにしていると共に、他の作業の障害となることがないようにしている。従って、敷設作業が容易な床下配管とすることができるのである。
【００３６】
また、この床下配管は、支持具20の支持部22の所定の位置に可撓管10を通過させることが可能な大きさに開口する支持穴24が設けられていると共に、支持穴24を通過させた可撓管10の先端には、円筒部32の外径が支持穴24の直径より大径に形成されている保護キャップ30が脱着可能に取り付けられているものである。
そして、可撓管10の先端に保護キャップ30が取り付けることによって、可撓管10の先端が損傷することや、可撓管10の先端から当該可撓管10の内部へ土やゴミ等が侵入することを防止していると共に、保護キャップ30の取り付けという容易な手段によって、当該可撓管10の先端を支持具20に支持させているのである。
【００３７】
従って、敷設作業が容易な床下配管とすることができるのである。また、床下配管と室内配管との接続方法は、床パネル70の所定の位置に予め配管穴71を設けておき、床パネル70の設置後に、床パネル70の上方において、前記配管穴71から可撓管10の先端、即ち、床下配管の先端を引き上げ、そして、室内配管と接続するものである。
【００３８】
このように、本実施の形態に係る床下配管と室内配管との接続は、床パネル70の設置後に、床パネル70上で行うものであるため、床下配管と室内配管とを接続するに際し、床パネル70の下方での作業を必要としないのである。従って、床下配管と室内配管との接続を容易に行うことができるのである。
【００３９】
【発明の効果】
以上説明したように、請求項１に記載した発明は、可撓管によって形成されている床下配管であって、当該床下配管は、可撓管及び支持具を備え、前記支持具は、基礎の上面部における所定の位置に固定されていると共に、前記可撓管は、当該支持具の基礎から水平方向に突出した支持部の支持穴に貫通して支持され、その支持部の上方に位置する可撓管の先端には、保護キャップが取り付けられていることを特徴とする床下配管である。
【００４０】
従って、敷設作業が容易な床下配管とすることができる。
また、請求項２に記載した発明は、支持具が、固定部、支持部、及び連結部を有し、固定部の一端から垂直下方に連結部が設けられていると共に、連結部の下端から固定部と反対側の水平方向に支持部が設けられていることを特徴とする床下配管である。
【００４１】
従って、敷設作業が容易な床下配管とすることができる。
【００４２】
また、請求項３に記載した発明は、保護キャップの円筒部の外径が支持穴の直径より大径とされていると共に、円筒部の内径が可撓管の外径と略同径とされていることを特徴とする床下配管である。従って、敷設作業が容易な床下配管とすることができる。
また、請求項４に記載した発明は、保護キャップの高さが支持部から固定部までの高さよりも低いことを特徴とする床下配管である。
【００４３】
従って、可撓管の端部が基礎の上面部よりも低くされ、他の作業の障害とならない床下配管とすることができる。
また、請求項５に記載した発明は、可撓管、支持穴が設けられている支持具、及び配管穴が設けられている床パネルを備えた床下配管であって、前記支持具は、基礎における上面部の所定の位置に固定され、また、前記床パネルは、支持穴の垂直上方に配管穴を一致させて設置されていると共に、前記可撓管は、支持穴及び配管穴を貫通していることを特徴とする床下配管である。
【００４４】
従って、敷設作業が容易な床下配管とすることができる。
また、請求項６に記載した発明は、基礎の所定の位置に支持具を固定した後、当該支持具に可撓管の先端を支持させ、その後、予め配管穴が設けられている床パネルを設置して、床パネルの上方から、前記配管穴から可撓管の先端を引き上げることを特徴とする床下配管の敷設方法である。
【００４５】
従って、作業が容易な床下配管の敷設方法とすることができる。
【図面の簡単な説明】
【図１】  本発明に係る床下配管の要部を示す側面断面図。
【図２】  本発明に係る床下配管の要部を示す斜視図。
【図３】  本発明に係る床下配管の敷設方法を示す側面断面図。
【図４】  従来の床下配管の要部を示す斜視図。
【符号の説明】
１０…可撓管、２０…支持具、２１…固定部、２２…支持部、２３…連結部、２４…支持穴、２５…釘穴、３０…保護キャップ、３１…天面部、３２…円筒部、４０…基礎、４１…上面部、４２…側面部、５０…基礎、６０…基礎、７０…床パネル、７１…配管穴、８０…固定具。
【図１】
0004275776.tif 000002
【図２】
0004275776.tif 000003
【図３】
0004275776.tif 000004
【図４】
0004275776.tif 000005